(57)【要約】【課題】ＭＤにオーディオデータをＬＰモードで記録すると、記録されたトラックのトラックネームの先頭に「ＬＰ：」の文字情報が記録されるため、ＭＤにトラックネームを記録する記録領域がなくなることがあり、ユーザが入力したトラックネームをＭＤに記録することができなくなることがあった。【解決手段】ＭＤに記録されているトラックネーム情報から「ＬＰ：」の文字情報を識別し、識別した「ＬＰ：」の文字情報を消去することにより、トラックネーム情報を記録することができる記録領域を得ることができる。【選択図】　図２
2004118951.tif 000002
【特許請求の範囲】
【請求項１】
オーディオデータが記録されるオーディオデータ記録領域と前記オーディオデータ記録領域に記録されたオーディオデータのトラックネーム情報を記録するトラックネーム情報記録領域を有する光ディスクにオーディオデータ及びトラックネーム情報を記録する記録手段と光ディスクに記録されたオーディオデータ及びトラックネーム情報を再生する再生手段を備えた光ディスク記録再生装置において、
複数トラックのトラックネーム情報を記憶する第１の記憶手段と、
予め定められた文字情報を記憶する第２の記憶手段と、
トラックネーム情報から予め定められた文字情報を消去する指示をする指示手段と、
前記指示手段により指示があったとき、前記第１の記憶手段から複数トラックのトラックネーム情報を読み出し前記第２の記憶手段から予め定められた文字情報を読み出す制御をする制御手段と、
前記制御手段により読み出された前記複数トラックのトラックネーム情報から前記予め定められた文字情報を消去する編集をする編集手段とを有し、前記制御手段は、前記編集手段が編集したトラックネーム情報を光ディスクに記録するよう前記記録手段を制御することを特徴とする光ディスク記録再生装置。
【請求項２】
オーディオデータが記録されるオーディオデータ記録領域と前記オーディオデータ記録領域に記録されたオーディオデータのトラックネーム情報を記録するトラックネーム情報記録領域を有する光ディスクにオーディオデータ及びトラックネーム情報を記録する記録手段と光ディスクに記録されたオーディオデータ及びトラックネーム情報を再生する再生手段を備えた光ディスク記録再生装置において、
複数トラックのトラックネーム情報を記憶する第１の記憶手段と、
予め定められた文字情報を記憶する第２の記憶手段と、
トラックネーム情報から予め定められた文字情報を消去する指示をする指示手段と、
前記指示手段により指示があったとき、前記第１の記憶手段から複数トラックのトラックネーム情報を読み出し前記第２の記憶手段から予め定められた文字情報を読み出す制御をする制御手段と、
前記制御手段により読み出された前記複数トラックのトラックネーム情報を記憶し、記憶した前記複数トラックのトラックネーム情報の中からトラックネーム情報がトラックネーム情報記録領域の複数のスロット部に亘って記録されているトラックを判別し、複数のスロット部に亘って記録されているトラックのトラックネーム情報から予め定められた文字情報を消去する編集をする編集手段とを有し、前記制御手段は、前記編集手段が編集したトラックネーム情報を光ディスクに記録するよう前記記録手段を制御することを特徴とする光ディスク記録再生装置。
【発明の詳細な説明】
【０００１】
【発明の属する技術分野】
本発明は、オーディオデータを記録するオーディオデータ記録領域とトラックネーム情報を記録するトラックネーム情報記録領域を有する光ディスクにオーディオデータ及びトラックネーム情報を記録再生する光ディスク記録再生装置に関する。
【０００２】
【従来の技術】
従来から、オーディオデータが記録されるオーディオデータ記録領域と、オーディオデータ記録領域に記録されたオーディオデータを管理する管理情報を記録する管理情報記録領域を有する光ディスクとして、ミニディスク（ＭＤ：Ｍｉｎｉ　Ｄｉｓｃ）が知られている。
【０００３】
ＭＤは、オーディオ記録領域に記録されたオーディオデータを管理するための管理情報が記録されるユーザテーブルオブコンテンツ（ＵＴＯＣ：Ｕｓｅｒ　Ｔａｂｌｅ　Ｏｆ　Ｃｏｎｔｅｎｔｓ）領域を備えている。管理情報には、トラックネーム情報、ディスクネーム情報、トラック毎の再生開始位置のアドレス及び再生終了位置のアドレス等が含まれている。
【０００４】
ＭＤにオーディオデータ及び管理情報を記録再生するＭＤ記録再生装置は、オーディオデータを圧縮して記録する。従来のＭＤ記録再生装置において、使用されている音声圧縮技術（ＡＴＲＡＣ：Ａｄａｐｔｉｖｅ　ＴＲａｎｓｆｏｒｍ　Ａｃｏｕｓｔｉｃ　Ｃｏｒｄｉｎｇ）は、オーディオデータの情報量を約１／５に圧縮する。
【０００５】
これに対して、オーディオデータの情報量を約１／１０及び約１／２０に圧縮することができる音声圧縮技術（ＡＴＲＡＣ３）がある。オーディオデータの情報量を約１／１０に圧縮するＬＰ（Ｌｏｎｇ　Ｐｌａｙ）２モードでは、ＡＴＲＡＣにより８０分間のオーディオデータを記録することができるＭＤに、２倍の１６０分間のオーディオデータを記録することができる。同様にオーディオデータの情報量を約１／２０に圧縮するＬＰ４モードでは、４倍の３２０分間のオーディオデータを記録することができる。このため、ＬＰ２モード又はＬＰ４モードを用いた場合、１枚のＭＤに数枚分のコンパクトディスク（ＣＤ：Ｃｏｍｐａｃｔ　Ｄｉｓｃ）に記録された楽曲を記録することが可能となる。
【０００６】
従来のＬＰ２モード及びＬＰ４モード（以下、ＬＰモードという。）対応のＭＤ記録再生装置は、ＬＰモードでオーディオデータをＭＤに記録する場合、記録されたオーディオデータのトラックのトラックネームの先頭に自動的に「ＬＰ：」の文字列を含めて記録している（例えば、非特許文献１参照。）。
【０００７】
この「ＬＰ：」の文字列は、ＬＰモードで記録されたオーディオデータであることを示すためのものである。ＬＰモードで記録されたオーディオデータを再生する機能を備えていないＭＤ記録再生装置では、表示部にトラックネームと一緒に「ＬＰ：」の文字列を表示することにより、ＬＰモードで記録されたオーディオデータであることをユーザに識別させる。また、ＬＰモードで記録されたオーディオデータを再生する機能を備えているＭＤ記録再生装置では、表示部に表示するトラックネームに「ＬＰ：」の文字列を表示しない。
【０００８】
【非特許文献１】
「Ｐａｎａｓｏｎｉｃ　ＭＤステレオシステム　ＳＣ−ＳＶ１　取扱説明書」，平成１３年，ｐ．３４
【０００９】
【発明が解決しようとする課題】
ＬＰモードでオーディオデータを記録した場合、トラックネームの先頭に「ＬＰ：」の文字列が自動的に記録されるので、１枚のＭＤにＬＰモードでオーディオデータを記録したトラックが多くなると、トラックネームを入力することができる文字数が少なくなる。このため、ユーザが各トラック毎にトラックネームを入力している途中で、トラックネームを入力することができなくなることがあった。
【００１０】
本発明は、上記の課題を解決するためになされたものであり、光ディスクに記録されたトラックネーム情報から予め定められた文字情報を消去することにより、トラックネーム情報が記録された領域において、未記録領域を増加させ、この領域にトラックネーム情報を記録することができる光ディスク記録再生装置を提供することを目的とする。
【００１１】
【課題を解決するための手段】
上記の課題を解決するために、本願の請求項１記載の発明は、オーディオデータが記録されるオーディオデータ記録領域と前記オーディオデータ記録領域に記録されたオーディオデータのトラックネーム情報を記録するトラックネーム情報記録領域を有する光ディスクにオーディオデータ及びトラックネーム情報を記録する記録手段と光ディスクに記録されたオーディオデータ及びトラックネーム情報を再生する再生手段を備えた光ディスク記録再生装置において、複数トラックのトラックネーム情報を記憶する第１の記憶手段と、予め定められた文字情報を記憶する第２の記憶手段と、トラックネーム情報から予め定められた文字情報を消去する指示をする指示手段と、前記指示手段により指示があったとき、前記第１の記憶手段から複数トラックのトラックネーム情報を読み出し前記第２の記憶手段から予め定められた文字情報を読み出す制御をする制御手段と、前記制御手段により読み出された前記複数トラックのトラックネーム情報から前記予め定められた文字情報を消去する編集をする編集手段を有し、前記制御手段は、前記編集手段が編集したトラックネーム情報を光ディスクに記録するよう前記記録手段を制御することを特徴とする。
【００１２】
また、本願の請求項２記載の発明は、オーディオデータが記録されるオーディオデータ記録領域と前記オーディオデータ記録領域に記録されたオーディオデータのトラックネーム情報を記録するトラックネーム情報記録領域を有する光ディスクにオーディオデータ及びトラックネーム情報を記録する記録手段と光ディスクに記録されたオーディオデータ及びトラックネーム情報を再生する再生手段を備えた光ディスク記録再生装置において、複数トラックのトラックネーム情報を記憶する第１の記憶手段と、予め定められた文字情報を記憶する第２の記憶手段と、トラックネーム情報から予め定められた文字情報を消去する指示をする指示手段と、前記指示手段により指示があったとき、前記第１の記憶手段から複数トラックのトラックネーム情報を読み出し前記第２の記憶手段から予め定められた文字情報を読み出す制御をする制御手段と、前記制御手段により読み出された前記複数トラックのトラックネーム情報を記憶し、記憶した前記複数トラックのトラックネーム情報の中からトラックネーム情報がトラックネーム情報記録領域の複数のスロット部に亘って記録されているトラックを判別し、複数のスロット部に亘って記録されているトラックのトラックネーム情報から予め定められた文字情報を消去する編集をする編集手段を有し、前記制御手段は、前記編集手段が編集したトラックネーム情報を光ディスクに記録するよう前記記録手段を制御することを特徴とする。
【００１３】
【発明の実施の形態】
本発明の実施の形態を図面に基づいて説明する。
図１は、本発明の光ディスク記録再生装置の一実施例のブロック図である。この光ディスク記録再生装置は、ＭＤにオーディオデータを標準のＡＴＲＡＣモードで記録再生する機能とＭＤにオーディオデータをＬＰモードで記録再生する機能を備えている。
【００１４】
図１において、１はスピンドルモータ、２は光ピックアップ、３はサーボ制御部、４はＲＦアンプ、５はアドレスデコーダ、６はＥＦＭ（Ｅｉｇｈｔ　ｔｏ　Ｆｏｕｒｔｅｅｎ　Ｍｏｄｕｌａｔｉｏｎ）デコーダ、７はショックプルーフメモリシステムコントローラ、８はＡＴＲＡＣデコーダ、９はデジタルアナログ変換器（ＤＡＣ：　Ｄｉｇｉｔａｌ　ｔｏ　Ａｎａｌｏｇ　Ｃｏｎｖｅｒｔｅｒ）、１０はアンプ、１１はアナログデジタル変換器（ＡＤＣ：　Ａｎａｌｏｇ　ｔｏ　Ｄｉｇｉｔａｌ　Ｃｏｎｖｅｒｔｅｒ）、１２はＡＴＲＡＣエンコーダ、１３はＥＦＭエンコーダ、１４は磁気ヘッド駆動部、１５は磁気ヘッド、１６はＲＡＭ（Ｒａｎｄａｍ　Ａｃｃｅｓｓ　Ｍｅｍｏｒｙ）、１７は操作部、１８は表示部、１９は記憶部、２０は制御部を示す。
【００１５】
図１において、スピンドルモータ２２に固定されたターンテーブルは、ＭＤを固定する。光ピックアップ２は、ＭＤにレーザ光を照射する。磁気ヘッド１５は、ＭＤに対して光ピックアップ２の反対側に位置するように設けられ、ＭＤに向けて磁界を発生する。操作部１７から再生開始の指示が入力されると、サーボ制御部３は、スピンドルモータ１を所定の線速度で回転駆動させる制御をする。光ピックアップ２がＭＤから再生したデジタルオーディオデータは、ＲＦアンプ４に入力される。ＲＦアンプ４は、入力されたデジタルオーディオデータからフォーカスエラー信号、トラッキングエラー信号、同期信号の抜き出し等をしてデジタルオーディオデータをＥＦＭデコーダ６に入力する。
【００１６】
また、ＲＦアンプ４は、トラッキングエラー信号中に含まれるＡＤＩＰ（ＡＤｒｅｓｓ　Ｉｎ　Ｐｒｅｇｒｏｏｖｅ）信号を抽出しアドレスデコーダ５に入力する。アドレスデコーダ５は、ＡＤＩＰ信号中に含まれているアドレス情報を復調し、ＥＦＭデコーダ６に入力する。
【００１７】
ＥＦＭデコーダ６は、デジタルオーディオデータをデコードしてショックプルーフメモリシステムコントローラ７に入力する。ショックプルーフメモリシステムコントローラ７は、クラスタ単位でデジタルオーディオデータをＲＡＭ１６に入力する。ＲＡＭ１６は、入力されたデジタルオーディオデータを記憶する。ＲＡＭ１６が記憶したデジタルオーディオデータは、ショックプルーフメモリシステムコントローラ７の制御によりＡＴＲＡＣデコーダ８に入力される。
【００１８】
ＡＴＲＡＣデコーダ８は、ＲＡＭ１６から入力されたデジタルオーディオデータを伸長する。伸長されたデジタルオーディオデータは、ＤＡＣ９に入力される。ＤＡＣ９に入力されたデジタルオーディオデータは、ＤＡＣ９によりアナログオーディオ信号に変換される。変換されたアナログオーディオ信号は、アンプ１０により増幅されてアナログ出力端子に接続したスピーカ等から出力される。
【００１９】
また、操作部１７から記録開始の指示が入力されると、アナログ入力端子から入力されるアナログオーディオ信号は、ＡＤＣ１１に入力される。ＡＤＣ１１に入力されたアナログオーディオ信号は、デジタルオーディオデータに変換される。変換されたデジタルオーディオデータは、ＡＴＲＡＣエンコーダ１２に入力される。
【００２０】
ＡＴＲＡＣエンコーダ３５は、入力されたデジタルオーディオデータを圧縮処理し、ショックプルーフメモリシステムコントローラ７に入力する。ショックプルーフメモリシステムコントローラ７は、ＲＡＭ１６にクラスタ単位でデジタルオーディオデータを入力するよう制御する。ＲＡＭ１６に記憶されたデジタルオーディオデータは、ショックプルーフメモリシステムコントローラ７の制御により、クラスタ単位でＥＦＭエンコーダ１３に入力される。
【００２１】
ＥＦＭエンコーダ１３は、ＲＡＭ１６から入力されたデジタルオーディオデータをＥＦＭ変調し、磁気ヘッド駆動部１４に入力する。磁気ヘッド駆動部１４は、ＥＦＭ変調されたオーディオデータに応じた変調磁界をＭＤに印加するように磁気ヘッド１５を駆動する。また、光ピックアップ２からレーザ光がＭＤに照射され、ＭＤにオーディオデータが記録される。
【００２２】
制御部２０に接続する操作部１７は、トラックネーム情報から予め定められた文字情報を消去する編集を指示する編集ボタン、トラックネームを入力する文字入力ボタン、再生ボタン、記録ボタン、停止ボタン、早送りボタン、早戻しボタン等を備えている。制御部２０に接続する表示部１８は、現在再生しているトラックの再生時間の表示、現在記録しているトラックの記録時間の表示、トラックナンバーの表示、トラックネームの表示等を行う。また、制御部２０に接続する記憶部１９は、ＭＤのＵＴＯＣ領域から再生したトラックネーム情報、トラック毎の再生開始位置のアドレス及び再生終了位置のアドレス等を記憶する。
【００２３】
制御部２０は、ショックプルーフメモリシステムコントローラ７を制御する。また、制御部２０は、サーボ制御部３を制御しスピンドルモータ１を所定の線速度で回転駆動させ、光ピックアップ２から照射されるレーザ光をＭＤの案内溝に正しくトレースさせる。
【００２４】
また、制御部２０は、予め定められた文字情報を記憶する記憶手段２０１と、記憶部１９から読み出された複数トラックのトラックネーム情報を記憶し、記憶した複数トラックのトラックネーム情報と記憶手段２０１に記憶された予め定められた文字情報を比較し、複数トラックのトラックネーム情報から予め定められた文字情報を消去する編集手段２０２を備えている。
【００２５】
図２は、ＭＤのＵＴＯＣ領域のトラックネーム情報を記録する領域を説明する図である。
図２に示すように、各スロットは、７バイト（７文字）のアスキーコードと、１バイトのリンク情報を記録することができる。スロットは、リンク情報により他のスロットと接続することができるので、トラックネームの文字情報が７バイトを超えてもトラックネーム情報を記録することができる。また、リンク情報として空白文字コード（ＮＵＬ）を記録することにより、１のトラックのトラックネーム情報が記録されたスロットとなる。例えば、スロット１には、トラックナンバー１のトラックのトラックネームの文字情報が記録される。この文字情報が１０バイト（１０文字）の場合は、スロット１に７バイト（７文字）の文字情報を記録し、スロット１のリンク情報としてスロット２に接続することを示す情報を記録する。スロット１に接続されたスロット２に残りの３バイト（３文字）の文字情報を記録する。そして、スロット２のリンク情報に空白文字コード（ＮＵＬ）を記録する。
【００２６】
図３は、本実施例のＭＤ記録再生装置のトラックネームを編集する動作を説明するフローチャートである。図４は、記憶部１９に記憶された編集前のトラックネーム情報を示す図である。図５は、記憶部１９に記憶されたトラックネーム情報の編集を説明する図である。
【００２７】
図３において、ステップ１は、制御部２０が、ＭＤのＵＴＯＣ領域から再生した複数トラックのトラックネーム情報を記憶部１９に記憶する制御をするステップである。制御部２０は、ＭＤが挿入されたとき又は操作部１７から再生開始の指示が入力されたとき、ＭＤのＵＴＯＣ領域から再生した各トラックのトラックネーム情報を記憶部１９に記憶する制御をする。
【００２８】
ステップ２は、操作部１７から編集ボタンが押圧されたか否かを制御部２０が判定するステップである。トラックネーム情報から予め定められた文字情報を消去する編集を指示する編集ボタンが押圧された場合は、ステップ３に進む。編集ボタンが押圧されると制御部２０は、記憶部１９に記憶された各トラックのトラックネーム情報を読み出す制御をし、読み出された各トラックのトラックネーム情報を編集手段２０２に記憶する制御をする。
【００２９】
ステップ３は、編集手段２０２に記憶された各トラックのトラックネーム情報からトラックナンバー１のトラックネーム情報を制御部２０が指定するステップである。
【００３０】
ステップ４は、制御部２０が指定したトラックナンバーＮ（この場合、１）のトラックのトラックネーム情報と記憶手段２０１に記憶された「ＬＰ：」の文字情報とを比較し、トラックナンバーＮのトラックネーム情報中に「ＬＰ：」の文字情報があるか否かをするステップである。オーディオデータがＬＰモードで記録された場合、記録されたトラックのトラックネーム情報の先頭に「ＬＰ：」の文字情報が記録されるため、制御部２０は、記憶部１９に記憶したトラックネーム情報から、指定したトラックナンバーＮのトラックのトラックネーム情報の先頭から３文字分の文字情報を識別する。
【００３１】
ステップ４において、指定したトラックナンバーＮのトラックのトラックネーム情報中に「ＬＰ：」の文字情報がある場合はステップ５に進む。指定したトラックナンバーＮのトラックのトラックネーム情報中に「ＬＰ：」の文字情報がない場合はステップ８に進む。
【００３２】
ステップ５は、制御部２０が識別した「ＬＰ：」の文字情報をトラックネーム情報から消去する制御をするステップである。制御部２０は、指定したトラックナンバーＮのトラックのトラックネーム情報から識別した「ＬＰ：」の文字情報を消去する。「ＬＰ：」の文字情報に続いてトラックネーム情報がある場合、制御部２０は、「ＬＰ：」に続くトラックネーム情報をスロットの先頭から始まるように制御する。図５（ａ）に示すように、制御部２０が指定したトラックナンバーＮのトラックネーム情報から「ＬＰ：」の文字情報を識別すると、制御部２０は、「ＬＰ：」の文字情報を消去し、図５（ｂ）に示すように、「１ｓｔＮＡＭＥ」のトラックネーム情報がアドレス１のスロットの先頭から始まるように移動する編集をする。
【００３３】
ステップ６は、指定したトラックナンバーＮのトラックのトラックネーム情報から「ＬＰ：」の文字情報を消去することにより、トラックネーム情報が記憶されていないスロットができたか否かを制御部２０が判定するステップである。トラックネーム情報が記憶されていないスロットができた場合はステップ７に進む。トラックネーム情報が記憶されていないスロットができていない場合はステップ８に進む。図５（ｃ）に示すように、記憶部１９から「ＬＰ：」の文字情報を消去することにより、トラックネーム情報が記憶されていないスロットができると、制御部２０は、トラックネーム情報が記憶されているアドレス１のスロットのリンク情報に「ＮＵＬ」を入力し、アドレス２のスロットのリンク情報に「ＮＵＬ」を入力する。
【００３４】
ステップ７は、トラックネーム情報が記憶されていないスロットを未使用のスロットに接続するように制御部２０が制御するステップである。図５（ｃ）に示すように、制御部２０は、トラックネーム情報が記憶されていない未使用のスロットであるアドレス１０１のスロットのリンク情報にアドレス２のスロットと接続する情報を入力しアドレス１０１のスロットとアドレス２のスロットを接続する制御をする。
【００３５】
ステップ８は、記憶部１９に記憶した各トラックのトラックネーム情報にトラックナンバーＮ＋１のトラックあるか否かを制御部２０が判定するステップである。トラックナンバーＮ＋１のトラックがある場合はステップ９に進む。トラックナンバーＮ＋１のトラックがない場合はステップ１０に進む。
【００３６】
ステップ９は、記憶部１９に記憶した各トラックのトラックネーム情報からトラックナンバーＮ＋１のトラックのトラックネーム情報を制御部２０が指定するステップである。
【００３７】
ステップ１０は、制御部２０が記憶部１９に記憶した各トラックのトラックネーム情報をＭＤのＵＴＯＣ領域に記録する制御をするステップである。制御部２０は、編集手段２０２からトラックネーム情報を読み出し、ＭＤのＵＴＯＣ領域に記録する制御をする。
【００３８】
図６は、記憶部１９に記憶された編集後のトラックネーム情報を示す図である。
図３に示す編集を行うことにより、本実施例のＭＤ記録再生装置は、図６に示すように、トラックネーム情報が記録されていないスロットを生成することができるので、新たに入力されるトラックネームをＭＤに記録することができる。
【００３９】
図３に示すフローチャートのステップ４に進む前に、指定したトラックナンバーのトラックネーム情報が１のスロットで記録されているか複数のスロットに亘って記録されているかを判別するようにしてもよい。制御部２０は、指定したトラックナンバーのトラックネーム情報が記録されている最初のスロットのリンク情報に「ＮＵＬ」が記録されているとき、トラックネーム情報が１のスロットで記録されていると判別する。また、制御部２０は、最初のスロットのリンク情報に他のスロットと接続する情報が記録されているとき、トラックネーム情報が複数のスロットに亘って記録されていると判別する。トラックネーム情報が１のスロットで記録されている場合は、ステップ４に進まずステップ８に進む。トラックネーム情報が複数のスロットに亘って記録されている場合は、ステップ４に進む。
【００４０】
トラックネーム情報が１のスロットで記録されていると、トラックネーム情報から「ＬＰ：」の文字情報を消去しても、トラックネーム情報が記録されていないスロットを生成することができない。したがって、トラックネーム情報が複数のスロットに亘って記録されている場合のみに、トラックネーム情報から「ＬＰ：」の文字情報を識別するようにした。このため、トラックネーム情報が１のスロットで記録されている場合は、ステップ４からステップ７の編集を行わず次のトラックナンバーを指定するので、図３に示す編集を行う時間をより短くすることができる。
【００４１】
上述の実施形態において、ＭＤのＵＴＯＣ領域から再生したトラックネーム情報、トラック毎の再生開始位置のアドレス及び再生終了位置のアドレス等を記憶部１９に記憶する説明をしたが、記憶部１９の代わりにＲＡＭ１６に記憶するようにしてもよい。
【００４２】
【発明の効果】
本発明の光ディスク記録再生装置によれば、光ディスクに記録されたトラックネーム情報から予め定められた文字情報を消去することにより、トラックネーム情報が記録された領域において、未記録領域を増加させ、この領域にトラックネーム情報を記録することができる光ディスク記録再生装置を提供することができる。
【図面の簡単な説明】
【図１】本発明の実施例のＭＤ記録再生装置の構成を示すブロック図。
【図２】ＵＴＯＣ領域のトラックネーム情報を記録する領域を説明する図。
【図３】本実施例のＭＤ記録再生装置のトラックネームを編集する動作を説明するフローチャート。
【図４】記憶部に記憶された編集前のトラックネーム情報を示す図。
【図５】記憶部に記憶されたトラックネーム情報の編集を説明する図。
【図６】記憶部に記憶された編集後のトラックネーム情報を示す図。
【符号の説明】
１　　スピンドルモータ
２　　光ピックアップ
３　　サーボ制御部
４　　ＲＦアンプ
５　　アドレスデコーダ
６　　ＥＦＭデコーダ
７　　ショックプルーフメモリシステムコントローラ
８　　ＡＴＲＡＣデコーダ
９　　ＤＡＣ
１０　　アンプ
１１　　ＡＤＣ
１２　　ＡＴＲＡＣエンコーダ
１３　　ＥＦＭエンコーダ
１４　　磁気ヘッド駆動部
１５　　磁気ヘッド
１６　　ＲＡＭ
１７　　操作部
１８　　表示部
１９　　記憶部
２０　　制御部
２０１　　記憶手段
２０２　　編集手段
【図１】
2004118951.tif 000003
【図２】
2004118951.tif 000004
【図３】
2004118951.tif 000005
【図４】
2004118951.tif 000006
【図５】
2004118951.tif 000007
【図６】
2004118951.tif 000008